【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
撮像場所を表す撮像地点情報が付加された撮像画像データを表示させる第１の画像表示制御ステップと、
表示されている上記撮像画像データを指定する所定の操作に応じて、その指定された撮像画像データに付加されている上記撮像地点情報を抽出し、抽出した撮像地点情報を含む画像取得要求を送信する送信ステップと、
送信した画像取得要求に対応して送信されてくる撮像画像データを受信する受信ステップと、
受信した撮像画像データを表示させる第２の画像表示制御ステップと、
を情報処理端末装置に実行させる撮像画像表示処理プログラム。
【請求項２】
上記撮像地点情報は、撮像場所を特定する位置情報と、撮像の際の撮像方向を示す方向情報を含むことを特徴とする請求項１に記載の撮像画像表示処理プログラム。
【請求項３】
さらに、上記撮像地点情報で示される撮像場所の近傍としての範囲を示す近傍条件を設定する近傍条件設定ステップを備え、
上記送信ステップでは、上記撮像地点情報と上記近傍条件を含む画像取得要求を送信することを特徴とする請求項１に記載の撮像画像表示処理プログラム。
【請求項４】
撮像場所を表す撮像地点情報が付加された撮像画像データを表示させる第１の画像表示制御ステップと、
表示されている上記撮像画像データを指定する所定の操作に応じて、その指定された撮像画像データに付加されている上記撮像地点情報を抽出し、抽出した撮像地点情報を含む画像取得要求を送信する送信ステップと、
送信した画像取得要求に対応して送信されてくる撮像画像データを受信する受信ステップと、
受信した撮像画像データを表示させる第２の画像表示制御ステップと、
を備えたことを特徴とする撮像画像表示処理方法。
【請求項５】
ネットワークを介して外部装置との通信を行う通信手段と、
撮像場所を表す撮像地点情報が付加された撮像画像データを表示させる処理と、表示されている上記撮像画像データを指定する所定の操作に応じて、その指定された撮像画像データに付加されている上記撮像地点情報を抽出し、抽出した撮像地点情報を含む画像取得要求を上記通信手段から送信させる処理と、送信した画像取得要求に対応して送信されてくる撮像画像データを上記通信手段により受信させる処理と、受信した撮像画像データを表示させる処理とを行う制御手段と、
を備えることを特徴とする情報処理端末装置。
【請求項６】
被写体画像の撮像処理を行う撮像処理手段と、
ネットワークを介して外部装置との通信を行う通信手段と、
上記通信手段により、撮像場所を示す撮像地点情報が含まれた画像取得要求が受信された際に、自己の撮像地点情報と、上記画像取得要求に含まれる撮像地点情報を比較して、自己が上記画像取得要求の対象機器であるか否かを判別し、上記対象機器であれば、上記撮像処理手段で撮像した撮像画像データを、上記通信手段により送信させる制御手段と、
を備えたことを特徴とする撮像装置。
【請求項７】
自己の位置情報を検出するセンサ手段を更に備え、上記自己の撮像地点情報は、上記センサ手段で検出される位置情報であることを特徴とする請求項６に記載の撮像装置。
【請求項８】
上記センサ手段は、更に撮像方向を示す方向情報の検出も行う構成とされ、上記自己の撮像地点情報は、上記センサ手段で検出される位置情報及び方向情報であることを特徴とする請求項７に記載の撮像装置。
【請求項９】
上記制御手段は、定期的に、上記撮像処理手段で撮像した撮像画像データ及び／又は上記撮像地点情報を、上記通信手段により送信させることを特徴とする請求項６に記載の撮像装置。
【請求項１０】
上記通信手段により受信される上記画像取得要求には、上記撮像地点情報で示される撮像場所の近傍としての範囲を示す近傍条件が含まれており、
上記制御手段は、上記画像取得要求が受信された際に、自己の撮像地点情報と、上記画像取得要求に含まれる撮像地点情報及び上記近傍条件を比較して、自己が上記画像取得要求の対象機器であるか否かを判別することを特徴とする請求項６に記載の撮像装置。
【請求項１１】
上記制御手段は、上記撮像処理手段で撮像した撮像画像データを、上記通信手段により、上記画像取得要求の送信元の機器に対して送信させることを特徴とする請求項６に記載の撮像装置。
【請求項１２】
上記制御手段は、上記撮像処理手段で撮像した撮像画像データを、上記通信手段により、特定の画像取得支援サーバに対して送信させることを特徴とする請求項６に記載の撮像装置。
【請求項１３】
撮像場所を示す撮像地点情報が含まれた画像取得要求を受信する受信ステップと、
上記画像取得要求が受信された際に、自己の撮像地点情報と、上記画像取得要求に含まれる撮像地点情報を比較して、自己が上記画像取得要求の対象機器であるか否かを判別する判別ステップと、
上記対象機器であれば、撮像した撮像画像データを送信する送信ステップと、
を備えたことを特徴とする撮像画像送信方法。
【請求項１４】
撮像地点情報を含む画像取得要求を受信する画像取得要求受信ステップと、
受信した画像取得要求に含まれている上記撮像地点情報から、上記画像取得要求の転送先を選択し、選択した転送先に上記画像取得要求を送信する画像取得要求送信ステップと、
上記画像取得要求送信ステップで送信した画像取得要求に対応して送信されてくる撮像画像データを受信する画像受信ステップと、
上記画像受信ステップで受信した撮像画像データを、上記画像取得要求の送信元の機器に対して送信する画像送信ステップと、
をサーバ装置に実行させる画像取得支援プログラム。
【請求項１５】
外部の撮像装置から送信されてくる撮像地点情報を付加した撮像画像データを記録媒体に保存する画像保存ステップを更に備え、
上記画像送信ステップでは、上記画像取得要求送信ステップで送信した画像取得要求に対応した撮像画像データか、上記画像保存ステップで保存された撮像画像データのうち撮像地点情報によって選択した撮像画像データのいずれかを、上記画像取得要求の送信元の機器に対して送信することを特徴とする請求項１４に記載の画像取得支援プログラム。
【請求項１６】
上記画像保存ステップでは、上記画像取得要求送信ステップで送信した画像取得要求に対応した撮像画像データが受信されなかった場合に、上記画像保存ステップで保存された撮像画像データのうち撮像地点情報によって選択した撮像画像データを、上記画像取得要求の送信元の機器に対して送信することを特徴とする請求項１５に記載の画像取得支援プログラム。
【請求項１７】
撮像地点情報を含む画像取得要求を受信する画像取得要求受信ステップと、
受信した画像取得要求に含まれている上記撮像地点情報から、上記画像取得要求の転送先を選択し、選択した転送先に上記画像取得要求を送信する画像取得要求送信ステップと、
上記画像取得要求送信ステップで送信した画像取得要求に対応して送信されてくる撮像画像データを受信する画像受信ステップと、
上記画像受信ステップで受信した撮像画像データを、上記画像取得要求の送信元の機器に対して送信する画像送信ステップと、
を備えることを特徴とする画像取得支援方法。
【請求項１８】
ネットワークを介して外部装置との通信を行う通信手段と、
撮像地点情報を含む画像取得要求の受信処理と、受信した画像取得要求に含まれている上記撮像地点情報から、上記画像取得要求の転送先を選択し、選択した転送先に上記画像取得要求を上記通信手段から送信させる処理と、送信した画像取得要求に対応して送信されてくる撮像画像データを上記通信手段により受信させる処理と、受信した撮像画像データを、上記通信手段により上記画像取得要求の送信元の機器に対して送信させる処理とを行う制御手段と、
を備えたことを特徴とする画像取得支援サーバ。
【請求項１９】
情報処理端末装置と撮像装置とが通信可能とされる撮像画像取得システムであって、
上記情報処理端末装置は、
ネットワークを介して外部装置との通信を行う通信手段と、
撮像場所を表す撮像地点情報が付加された撮像画像データを表示させる処理と、表示されている上記撮像画像データを指定する所定の操作に応じて、その指定された撮像画像データに付加されている上記撮像地点情報を抽出し、抽出した撮像地点情報を含む画像取得要求を上記通信手段から送信させる処理と、送信した画像取得要求に対応して送信されてくる撮像画像データを上記通信手段により受信させる処理と、受信した撮像画像データを表示させる処理とを行う制御手段と、
を備え、
上記撮像装置は、
被写体画像の撮像処理を行う撮像処理手段と、
ネットワークを介して外部装置との通信を行う通信手段と、
上記通信手段により、上記情報処理端末装置からの上記画像取得要求が受信された際に、自己の撮像地点情報と、上記画像取得要求に含まれる撮像地点情報を比較して、自己が上記画像取得要求の対象機器であるか否かを判別し、上記対象機器であれば、上記撮像処理手段で撮像した撮像画像データを、上記通信手段により上記情報処理端末装置に送信させる制御手段と、
を備えていることを特徴とする撮像画像取得システム。
【請求項２０】
情報処理端末装置と撮像装置と画像取得支援サーバとが通信可能とされる撮像画像取得システムであって、
上記情報処理端末装置は、
ネットワークを介して外部装置との通信を行う通信手段と、
撮像場所を表す撮像地点情報が付加された撮像画像データを表示させる処理と、表示されている上記撮像画像データを指定する所定の操作に応じて、その指定された撮像画像データに付加されている上記撮像地点情報を抽出し、抽出した撮像地点情報を含む画像取得要求を上記通信手段から送信させる処理と、送信した画像取得要求に対応して送信されてくる撮像画像データを上記通信手段により受信させる処理と、受信した撮像画像データを表示させる処理とを行う制御手段と、
を備え、
上記画像取得支援サーバは、
ネットワークを介して外部装置との通信を行う通信手段と、
撮像地点情報を含む画像取得要求の受信処理と、受信した画像取得要求に含まれている上記撮像地点情報から、上記画像取得要求の転送先を選択し、選択した転送先に上記画像取得要求を上記通信手段から送信させる処理と、送信した画像取得要求に対応して送信されてくる撮像画像データを上記通信手段により受信させる処理と、受信した撮像画像データを、上記通信手段により上記画像取得要求の送信元の機器に対して送信させる処理とを行う制御手段と、
を備え、
上記撮像装置は、
被写体画像の撮像処理を行う撮像処理手段と、
ネットワークを介して外部装置との通信を行う通信手段と、
上記通信手段により、上記画像取得支援サーバからの上記画像取得要求が受信された際に、自己の撮像地点情報と、上記画像取得要求に含まれる撮像地点情報を比較して、自己が上記画像取得要求の対象機器であるか否かを判別し、上記対象機器であれば、上記撮像処理手段で撮像した撮像画像データを、上記通信手段により上記画像取得支援サーバに送信させる制御手段と、
を備えていることを特徴とする撮像画像取得システム。